(57)【特許請求の範囲】
【請求項１】
汚物を受け止める汚物受部を形成し当該汚物受部の下方に第１の孔部を有する便鉢と、
前記便鉢の下方に位置し、第２の孔部を上方に有して汚物を貯留する汚物貯留タンクと、
前記便鉢と前記汚物貯留タンクとの間に位置し、前記第１の孔部と前記第２の孔部とを連通閉止するスライドバルブ装置と、
を備え、
前記スライドバルブ装置は、
前記第１の孔部と前記第２の孔部とを連通する連通開口を有するハウジングと、
前記ハウジングに前記連通開口を閉止する閉止位置と当該連通開口を開放する連通位置との間で摺動自在に収納されるシャッタと、
前記シャッタから前記連通位置側に延出するピストンロッドと、
前記ピストンロッドをその軸方向に変位させて前記シャッタを前記閉止位置と前記連通位置との間でスライドさせる駆動部と、
を含み、
前記ハウジングは、前記シャッタにおける前記ピストンロッドが延出する側とは反対側の部分が入り込む隙間空間と、当該隙間空間の下方に開口する、三日月形状の領域に設けられる排出用開口と、を形成する、
便器装置。
【請求項２】
前記汚物貯留タンクと前記スライドバルブ装置との間に設けられ、前記第２の孔部に延出する翼部を有するシート部材を備える、
請求項１記載の便器装置。
【請求項３】
連通開口を有するハウジングと、
前記ハウジングに前記連通開口を閉止する閉止位置と当該連通開口を開放する連通位置との間で摺動自在に収納されるシャッタと、
前記シャッタから前記連通位置側に延出するピストンロッドと、
前記ピストンロッドをその軸方向に変位させて前記シャッタを前記閉止位置と前記連通位置との間でスライドさせる駆動部と、
を備え、
前記ハウジングは、前記シャッタにおける前記ピストンロッドが延出する側とは反対側の部分が入り込む隙間空間と、当該隙間空間と前記ハウジングの外部の空間と連通する三日月形状の領域に設けられる排出用開口と、を形成する、
スライドバルブ装置。
【発明の詳細な説明】
【技術分野】
【０００１】
本発明は、便鉢及び汚物貯留タンクを備える便器装置、及び、この便器装置に取り付けられるスライドバルブ装置に関する。
【背景技術】
【０００２】
従来、便鉢と汚物貯留タンクとを備え、便鉢に排泄された汚物を汚物貯留タンクに一時貯留することができる便器装置がある。このような便器装置では、便鉢とタンクとが連通している。そして、汚物貯留タンク内の汚物から発せられる臭気が、便鉢内に上昇してしまう。
【０００３】
特許文献１に記載の便器装置は、ボウルと屎尿タンクとスライドバルブとを備える。この便器装置では、ボウルの底の開口と屎尿タンクとが、スライドバルブを介して連通している。そして、スライドバルブは、ロッドを備え、このロッドの先端に連結されたスライダを摺動してボウルの底の開口と屎尿タンクとの連通箇所を開閉する。
【先行技術文献】
【特許文献】
【０００４】
【特許文献１】特開平１１−３４２０９２号公報（段落番号００４６、００５１、００５４、図６、図７、図９）
【発明の概要】
【発明が解決しようとする課題】
【０００５】
図１４は、従来のスライドバルブ装置９０１の断面図である。スライドバルブ装置９０１は、一般に、開口９０２を形成するハウジング９０３と、ハウジング９０３内に摺動自在に設けられたシャッタ９０４とを備える。そして、ハウジング９０３には、シャッタ９０４が開口９０２を確実に閉止するように、シャッタ９０４の先端部９０５が入り込む隙間空間ＳＲが設けられている。
【０００６】
ここで、この従来のスライドバルブ装置９０１が便鉢と汚物貯留タンクとの間に設けられた場合を考える。この場合、シャッタ９０４に汚物が付着することがある。この状態でシャッタ９０４が摺動すると、汚物が隙間空間ＳＲに入り込んでしまう。隙間空間ＳＲに入り込んだ汚物は、シャッタ９０４によって取り除くことができない。その結果、隙間空間ＳＲに溜まった汚物から放たれた臭気が便鉢内に上昇してしまう。また、隙間空間ＳＲに溜まった汚物によってシャッタ９０４がハウジング９０３を完全に閉じることができなくなり、汚物貯留タンク内の汚物から発せられる臭気が、汚物貯留タンクから便鉢内に上昇してしまう。
【０００７】
本発明の目的は、便鉢と汚物貯留タンクとの連通箇所に汚物を残留させないようにするとともに、この連通箇所を確実に閉止することである。
【課題を解決するための手段】
【０００８】
本発明の便器装置は、汚物を受け止める汚物受部を形成し当該汚物受部の下方に第１の孔部を有する便鉢と、前記便鉢の下方に位置し、第２の孔部を上方に有して汚物を貯留する汚物貯留タンクと、前記便鉢と前記汚物貯留タンクとの間に位置し、前記第１の孔部と前記第２の孔部とを連通閉止するスライドバルブ装置と、を備え、前記スライドバルブ装置は、前記第１の孔部と前記第２の孔部とを連通する連通開口を有するハウジングと、前記ハウジングに前記連通開口を閉止する閉止位置と当該連通開口を開放する連通位置との間で摺動自在に収納されるシャッタと、前記シャッタから前記連通位置側に延出するピストンロッドと、前記ピストンロッドをその軸方向に変位させて前記シャッタを前記閉止位置と前記連通位置との間でスライドさせる駆動部と、を含み、前記ハウジングは、前記シャッタにおける前記ピストンロッドが延出する側とは反対側の部分が入り込む隙間空間と、当該隙間空間の下方に開口する三日月形状の領域に設けられる排出用開口と、を形成する。
【０００９】
本発明のスライドバルブ装置は、連通開口を有するハウジングと、前記ハウジングに前記連通開口を閉止する閉止位置と当該連通開口を開放する連通位置との間で摺動自在に収納されるシャッタと、前記シャッタから前記連通位置側に延出するピストンロッドと、前記ピストンロッドをその軸方向に変位させて前記シャッタを前記閉止位置と前記連通位置との間でスライドさせる駆動部と、を備え、前記ハウジングは、前記シャッタにおける前記ピストンロッドが延出する側とは反対側の部分が入り込む隙間空間と、当該隙間空間と前記ハウジングの外部の空間と連通する三日月形状の領域に設けられる排出用開口と、を形成する。
【発明の効果】
【００１０】
本発明によれば、シャッタはハウジングに形成された隙間空間に入り込んで、便鉢と汚物貯留タンクとの連通箇所を確実に閉止することができる。そして、シャッタに付着した汚物が隙間空間に入り込んでも、この汚物は排出用開口から排出され、便鉢と汚物貯留タンクとの連通箇所に汚物が残留しなくなる。
【図面の簡単な説明】
【００１１】
【図１】第一の実施の形態における、便器装置の右断面図である。
【図２】汚物貯留タンクに取り付けられたスライドバルブ装置を示す平面図である。
【図３】汚物貯留タンクの平面図である。
【図４】スライドバルブ装置の斜視図である。
【図５】スライドバルブ装置の平面図である。
【図６】（ａ）は、シャッタが閉止位置に位置する状態のスライドバルブ装置の内部構造を示す平面図である。（ｂ）は、シャッタが連通位置に位置する状態のスライドバルブ装置の内部構造を示す平面図である。
【図７】スライドバルブ装置の底面図である。
【図８】スライドバルブ装置、菊形ゴム板、ゴム押え部材、二つのパッキン及び汚物貯留タンクの分解組立図である。
【図９】菊形ゴム板の平面図である。
【図１０】スライドバルブ装置を短辺側から見た断面図である。
【図１１】（ａ）は、シャッタが閉止位置に位置する状態のスライドバルブ装置の内部構造を示す左断面図である。（ｂ）は、シャッタが連通位置に位置する状態のスライドバルブ装置の内部構造を示す左断面図である。
【図１２】第二の実施の形態における、汚物貯留タンクに取り付けられたスライドバルブ装置を示す平面図である。
【図１３】汚物貯留タンクの平面図である。
【図１４】従来のスライドバルブ装置の断面図である。
【発明を実施するための形態】
【００１２】
実施の一形態を、図１ないし図１１に基づいて説明する。本実施の形態を、説明の便宜上、第一の実施の形態と呼ぶ。図１は、便器装置１０１の右断面図である。便器装置１０１は、便鉢１０２と、汚物貯留タンク１０３と、蓋ユニット２０１と、スライドバルブ装置３０１とを備える。
【００１３】
便鉢１０２は、ステンレス鋼で形成される。便鉢１０２は、ボウル部１０２ａと平板部１０２ｂとを有する。ボウル部１０２ａは、下側に突出する半球形状をなし、その下面は丸みを帯びている。ボウル部１０２ａの上面側には、汚物受部１０４が形成されている。汚物受部１０４は、上面に開口する漏斗状の空間である。この汚物受部１０４の底には、第１の孔部としてのタンク用開口１０５が設けられている。汚物受部１０４は、使用者（図示せず）が排泄する汚物（図示せず）を受け止める。
【００１４】
汚物受部１０４の内壁面１０４ａには、洗浄水吐出部１１３が設けられる。洗浄水吐出部１１３は、下方に隙間１１４を有している。また、洗浄水吐出部１１３は、洗浄水用ホース１１５を介して洗浄水タンク（図示せず）に繋がっている。洗浄水用ホース１１５の途中には、洗浄水用電磁弁１１６と洗浄水用ポンプ１１７とが取り付けられている。洗浄水用電磁弁１１６は、コントロールユニット１０７（後述）の制御を受けて開閉する。また、洗浄水用ポンプ１１７の制御を受けて駆動し、洗浄水タンク内の洗浄水ＷＷを汲み上げ、洗浄水吐出部１１３に向けて送り出す。洗浄水吐出部１１３は、洗浄水用ホース１１５からの洗浄水ＷＷを、隙間１１４から勢い良く噴出する。噴出した洗浄水ＷＷは、内壁面１０４ａを伝わり、この内壁面１０４ａに付着した汚物（図示せず）をこそぎ落す。洗い流された汚物は、タンク用開口１０５に向けて流れる。
【００１５】
平板部１０２ｂは、ボウル部１０２ａの上端から汚物受部１０４に対して外側に延びている。平板部１０２ｂの上面で汚物受部１０４よりも後方（図１における右側）には、蓋ユニット２０１が取り付けられる。蓋ユニット２０１は、汚物受部１０４を開閉する。平板部１０２ｂの下方かつボウル部１０２ａの後方には、コントロールユニット１０７（後述）、電動空気弁１０８（後述）、洗浄水用ホース１１５、洗浄水用電磁弁１１６、洗浄水用ポンプ１１７等の各部を格納可能な収納空間ＳＰが形成される。
【００１６】
汚物貯留タンク１０３は、便鉢１０２の下方に位置し、載置台１１２に載置される。汚物貯留タンク１０３の上面には、第２の孔部としての便鉢用開口１０６が開口する。
【００１７】
ところで、便器装置１０１は、汚物受部１０４で受け止められ汚物貯留タンク１０３に収納された汚物を含む汚水を有機物分解、硝化及び脱窒し、固液分離し、さらにオゾンによって酸化及び脱色して洗浄水を生成し、この洗浄水を洗浄水吐出部１１３から吐出させて汚物受部１０４内の洗浄に用いる仕組みを用いた循環式のものである。このため、汚物貯留タンク１０３の上面には、汚物吸引口１０６ａが設けられている。そして、汚物吸引口１０６ａから吸引された汚物は、浄化、濾過等の処理を施されて洗浄水に変化する。この洗浄水は、前述の洗浄水タンクに蓄積される。
【００１８】
スライドバルブ装置３０１は、便鉢１０２のタンク用開口１０５と汚物貯留タンク１０３の便鉢用開口１０６との間に挟まれている。スライドバルブ装置３０１は、タンク用開口１０５と便鉢用開口１０６とを連通閉止する。より詳しくは、スライドバルブ装置３０１は、ハウジング３０２と、シャッタ３０３と、エアシリンダ装置３０４と、を備える。エアシリンダ装置３０４はピストンロッド３１３を有する。ピストンロッド３１３の先端にはシャッタ３０３が取り付けられている。エアシリンダ装置３０４には、エア供給パイプ１０９が取り付けられている。エア供給パイプ１０９の途中には、電動空気弁１０８が設けられている。エアシリンダ装置３０４は、電動空気弁１０８の開閉によってピストンロッド３１３（図５参照）をその軸方向に変位させる。シャッタ３０３をスライド移動し、閉止位置３０３Ａと連通位置３０３Ｂとのいずれかの位置にこのシャッタ３０３を位置付ける。つまり、エアシリンダ装置３０４は、駆動部としての役割を果たす。ここで、閉止位置３０３Ａは、タンク用開口１０５と便鉢用開口１０６とを閉止する位置である。また、連通位置３０３Ｂは、タンク用開口１０５と便鉢用開口１０６とを連通する位置である。
【００１９】
コントロールユニット１０７は、コンピュータを内蔵し、予め格納されているプログラムに従った制御を行う。このコントロールユニット１０７は、電動空気弁１０８、洗浄水用電磁弁１１６、洗浄水用ポンプ１１７及び操作部としての洗浄スイッチＳＷのそれぞれにも、配線を介して電気的に接続している。コントロールユニット１０７は、洗浄スイッチＳＷで操作がなされたことを判定すると、プログラムに従って、洗浄水用電磁弁１１６を開き洗浄水用ポンプ１１７を駆動する。その後、コントロールユニット１０７は、所定時間経過後に、洗浄水用電磁弁１１６を閉じ洗浄水用ポンプ１１７を停止する。また、コントロールユニット１０７は、洗浄水用電磁弁１１６を開くと同時に、電動空気弁１０８を制御してエアシリンダ装置３０４を駆動しシャッタ３０３を変位させる。
【００２０】
便器装置１０１の下方部分は、カバー１１１で覆われている。カバー１１１は、便鉢１０２の平板部１０２ｂの下面と、載置台１１２の前方部分の上面との間に設けられ、便鉢１０２の下面、汚物貯留タンク１０３、コントロールユニット１０７、電動空気弁１０８、スライドバルブ装置３０１等の各部を覆い隠す。カバー１１１は、便器装置１０１に対して取り外し自在である。
【００２１】
図２は、汚物貯留タンク１０３に取り付けられたスライドバルブ装置３０１を示す平面図である。図３は、汚物貯留タンク１０３の平面図である。汚物貯留タンク１０３は、扁平な直方体形状をなしている。汚物貯留タンク１０３の前面の一部は、前方に突出している。
【００２２】
汚物貯留タンク１０３の上面には、便鉢用開口１０６及び汚物吸引口１０６ａが開口する。便鉢用開口１０６は、汚物貯留タンク１０３の上面の左右方向における中央で、前方寄りの箇所に設けられる。便鉢用開口１０６は、基本を長方形とし、短辺１０６ｒｃを挟んで隣り合う二つの角部１０６ｒａ，１０６ｒｂが斜めに切り欠かれたような六角形形状をなしている。角部１０６ｒａ，１０６ｒｂ及び短辺１０６ｒｃは、便器装置１０１の前方に向いている。便鉢用開口１０６の長辺１０６ｒｄは、便器装置１０１の奥行方向に延びる軸ＡＸに対し平面視で反時計回りに傾いた方向に向いている。汚物貯留タンク１０３の上面において便鉢用開口１０６の周から上方には、パッキン押え壁３４０（図１０及び図１１も参照）が突出する。
【００２３】
汚物吸引口１０６ａは、真円形状をなし、便鉢用開口１０６よりも右側かつ奥側に設けられている。汚物吸引口１０６ａには、汚物吸引用パイプ（図示せず）が取り付けられる。汚物貯留タンク１０３内の汚物は、吸引されてこの汚物吸引用パイプを通過し、浄化されて洗浄水タンク（図示せず）に至る。
【００２４】
スライドバルブ装置３０１は、便器取付板３０５によって汚物貯留タンク１０３の上面に固定され、便鉢用開口１０６を覆い隠す。詳細を述べると、スライドバルブ装置３０１のハウジング３０２は、平面視において概ね長方形をなす。エアシリンダ装置３０４は、ハウジング３０２の一方の短辺３０２ａから延出する。ハウジング３０２の他方の短辺３０２ｂを挟む二つの角部３０２ｃ，３０２ｄは、斜めに切り欠かれたような形状をなしている。ハウジング３０２は、その長辺３０２ｅを便鉢用開口１０６の長辺１０６ｒｄと平行にし、角部３０２ｃ，３０２ｄを前方に向けて、便鉢用開口１０６を覆い隠す位置に位置付けられる。その結果、エアシリンダ装置３０４は、便器装置１０１の左奥側に向く。
【００２５】
このようにして汚物貯留タンク１０３の上面に位置付けられたスライドバルブ装置３０１の上面には、便器取付板３０５が覆い被さる。便器取付板３０５は、長ボルト３３１及びナット３３２によりスライドバルブ装置３０１と螺合するための取付孔３３３（図１０参照）を有する。また、便器取付板３０５は、便鉢１０２の便鉢用開口１０６を位置付けるための開口部３３４を有する。また、便器取付板３０５は、左右両側部分にボルト孔３３５（図１０参照）を有する。このボルト孔３３５には、タンク取付用ボルト３０６が取り付けられる。タンク取付用ボルト３０６は、ボルト孔３３５を貫通した状態で汚物貯留タンク１０３から突出する取付用ボス３３６に螺合し、スライドバルブ装置３０１を汚物貯留タンク１０３の上面に押し付ける。また、汚物貯留タンク１０３の上面で取付用ボス３３６よりも便鉢用開口１０６側の領域で、取付用ボス３３６とパッキン収納壁３２９ａとの間には、パッキン３３７が位置付けられる。
【００２６】
図４は、スライドバルブ装置３０１の斜視図である。ハウジング３０２は、上ハウジング３０７と下ハウジング３０８とが合わさって形成される。上ハウジング３０７と下ハウジング３０８とは、いずれも、強度、弾性率、耐衝撃性等に優れたエンジニアリングプラスチックで、扁平の長方形状に形成される。上ハウジング３０７と下ハウジング３０８とのいずれも、短辺３０２ｂを挟む二つの角部３０２ｃ，３０２ｄが斜めに切り欠かれたような形状をなしている。そして、上ハウジング３０７と下ハウジング３０８とのいずれも、短辺３０２ｂ寄りに真円形状の連通開口３０９を有する。連通開口３０９と便鉢１０２のタンク用開口１０５（図１参照）とは、同じ形状に形成されている。連通開口３０９は、便鉢１０２のタンク用開口１０５と汚物貯留タンク１０３の便鉢用開口１０６（図１参照）とを連通する。
【００２７】
図５は、スライドバルブ装置３０１の平面図である。上ハウジング３０７と下ハウジング３０８とのいずれも、外縁部分には複数のボルト孔３１０と、三つの菊形ゴム取付孔３１１とが設けられている。
【００２８】
エアシリンダ装置３０４は、シリンダチューブ３１２を有する。シリンダチューブ３１２は、長尺の筒体である。シリンダチューブ３１２は、短辺３０２ａ側に位置する。シリンダチューブ３１２は、ピストンロッド３１３を収納する。ピストンロッド３１３の一方の端部３１３ａは、ハウジング３０２側に飛び出していて、上ハウジング３０７と下ハウジング３０８（図４参照）とに挟まれている。エアシリンダ装置３０４では、電動空気弁１０８（図１参照）の開閉に伴ってシリンダチューブ３１２内に空気が送り込まれることにより、ピストンロッド３１３がハウジング３０２側に進出して突出したり、シリンダチューブ３１２側に後退してこのシリンダチューブ３１２に収納されたりする。
【００２９】
図６（ａ）は、シャッタ３０３が閉止位置３０３Ａに位置する状態のスライドバルブ装置３０１の内部構造を示す平面図である。ピストンロッド３１３の先端には、シャッタ３０３が取り付けられている。シャッタ３０３は、概ね正方形なる扁平の板部材である。このシャッタ３０３は、連通開口３０９を覆い隠すのに十分な大きさを有する。そして、シャッタ３０３の先端側の二つの角部３０９ａ，３０９ｂは、斜めに切り欠かれたような形状をなしている。
【００３０】
上ハウジング３０７（図５参照）及び下ハウジング３０８のいずれも、外周壁３１４を有する。外周壁３１４は、シャッタ３０３及びピストンロッド３１３を収納可能な凹部３１５を形成する。シャッタ３０３は、閉止位置３０３Ａと連通位置３０３Ｂ（図６（ｂ）参照）との間で摺動自在となっている。また、外周壁３１４には、シール溝３１７が、外周壁３１４に沿って設けられている。シール溝３１７は、細長いシール部材３１６（図１０参照）を収納する。
【００３１】
上ハウジング３０７（図５参照）及び下ハウジング３０８のいずれも、Ｏリング溝３１８を有する。Ｏリング溝３１８は、Ｏリング３１９（図１０参照）を収納する。Ｏリング溝３１８は、凹部３１５に向く面で、連通開口３０９に沿って設けられる。
【００３２】
下ハウジング３０８は、Ｏリング溝３１８と外周壁３１４における短辺３０２ｂ側の部分とに挟まれる三日月形状の領域に、排出用開口３２０を有する。排出用開口３２０は、凹部３１５とハウジング３０２の外部の空間とを連通する。そして、図２に示したようにスライドバルブ装置３０１が便鉢用開口１０６の上に位置付けられた場合、下ハウジング３０８が有する排出用開口３２０及び連通開口３０９は、便鉢用開口１０６の上方に位置付けられる（図１１参照）。一方、上ハウジング３０７は、排出用開口３２０を有していない。上ハウジング３０７は、下ハウジング３０８における排出用開口３２０に対応する箇所に、埋込部材３２０ａ（図１１（ａ）及び図１１（ｂ）参照）が設けられている。
【００３３】
コントロールユニット１０７による電動空気弁１０８の開閉制御によってピストンロッド３１３がシリンダチューブ３１２から突出すると、シャッタ３０３は連通位置３０３Ｂから閉止位置３０３Ａに移動する。このとき、シャッタ３０３は、短辺３０２ｂに向けて変位し、上ハウジング３０７に取り付けられたＯリング３１９と下ハウジング３０８に取り付けられたＯリング３１９との隙間に入り込む。その結果、シャッタ３０３は、上ハウジング３０７に取り付けられたＯリング３１９と下ハウジング３０８に取り付けられたＯリング３１９とに挟まれ、連通開口３０９を閉止する。
【００３４】
図６（ｂ）は、シャッタ３０３が連通位置３０３Ｂに位置する状態のスライドバルブ装置３０１の内部構造を示す平面図である。コントロールユニット１０７による電動空気弁１０８の開閉制御によってピストンロッド３１３がシリンダチューブ３１２に収納されると、シャッタ３０３は閉止位置３０３Ａから連通位置３０３Ｂに移動する。このとき、シャッタ３０３は、短辺３０２ａに向けて変位し、上ハウジング３０７に取り付けられたＯリング３１９と下ハウジング３０８に取り付けられたＯリング３１９との隙間から離脱する。その結果、連通開口３０９は開放され、便鉢１０２のタンク用開口１０５（図１参照）と汚物貯留タンク１０３の便鉢用開口１０６（図１参照）とは連通する。
【００３５】
図７は、スライドバルブ装置３０１の底面図である。なお、図７において、パッキン３３８は省略されている。図８は、スライドバルブ装置３０１、菊形ゴム板３２１、ゴム押え部材３２９、パッキン３３８、パッキン３３７及び汚物貯留タンク１０３の分解組立図である。図９は、菊形ゴム板３２１の平面図である。下ハウジング３０８の底面には、この下ハウジング３０８の底面とゴム押え部材３２９とに挟まれて、シート部材としての菊形ゴム板３２１が取り付けられる。菊形ゴム板３２１は、十二個の翼部３２６を有する。翼部３２６は、汚物貯留タンク１０３の便鉢用開口１０６に向けて延出している。
【００３６】
菊形ゴム板３２１は、下ハウジング３０８の短辺３０２ｂ側の外形に一致するよう形成された六角形形状をなしている。菊形ゴム板３２１は、第１開口３２２と、第２開口３２３とを有する。第１開口３２２の形状は、下ハウジング３０８の排出用開口３２０に一致する。第２開口３２３は、連通開口３０９と一致する大きさの仮想開口３２４（図９において一点鎖線で示す）に対して、この仮想開口３２４の外周からその中心３２５に向けて十二個の二等辺三角形形状の翼部３２６を延出させた形状をなしている。このようにして、第２開口３２３は、中心３２５から外側に向けて十二個のスリット３２７を有し、十二個のスリット３２７は全体として菊の花のように見える。また、各スリット３２７の端部は、円形に開口している。また、菊形ゴム板３２１は、三つの取付孔３２８を有する。三つの取付孔３２８は、下ハウジング３０８の菊形ゴム取付孔３１１と一致する箇所に設けられる。
【００３７】
ゴム押え部材３２９は、菊形ゴム板３２１の外形と一致する六角形形状をなしている。ゴム押え部材３２９は、図７及び図８に示すように、菊形ゴム板３２１の第１開口３２２及び菊形ゴム板３２１の第２開口３２３のいずれも覆わない形状に開口している。また、ゴム押え部材３２９は、三つの取付孔３３０を有する。三つの取付孔３３０は、下ハウジング３０８の菊形ゴム取付孔３１１（図６（ａ）及び（ｂ）も参照）と一致する箇所に設けられる。また、ゴム押え部材３２９の外縁の外周に沿って、このゴム押え部材３２９の下面から下方に、パッキン収納壁３２９ａ（図１０及び図１１も参照）が突出している。パッキン収納壁３２９ａは、菊形ゴム板３２１の第１開口３２２及び菊形ゴム板３２１の第２開口３２３のいずれも覆わない形状をなしている。パッキン収納壁３２９ａの内側には、パッキン３３８が収納される。
【００３８】
図１０は、スライドバルブ装置３０１を短辺３０２ｂ側から見た断面図である。菊形ゴム板３２１は、取付孔３２８を下ハウジング３０８の菊形ゴム取付孔３１１に一致させて、上ハウジング３０７の下面に位置付けられる。そして、菊形ゴム板３２１の下面には、ゴム押え部材３２９が、取付孔３３０を菊形ゴム板３２１の取付孔３２８に一致させて位置付けられる。さらに、上ハウジング３０７は、上ハウジング３０７の菊形ゴム取付孔３１１と下ハウジング３０８の菊形ゴム取付孔３１１とを一致させて、下ハウジング３０８の上面に位置付けられる。さらに、便器取付板３０５は、菊形ゴム取付孔３１１と便器取付板３０５における取付孔３３３とを一致させて、上ハウジング３０７の上面に位置付けられる。ここで、取付孔３３３と菊形ゴム取付孔３１１と取付孔３２８と取付孔３３０とに対して長ボルト３３１が貫通され、この長ボルト３３１の先端にナット３３２が取り付けられる。長ボルト３３１とナット３３２とによって、便器取付板３０５と上ハウジング３０７と下ハウジング３０８と菊形ゴム板３２１とゴム押え部材３２９とは固定される。
【００３９】
長ボルト３３１のボルト頭側には、パッキン３３８が位置付けられる。このパッキン３３８は、一例として、接着剤によってゴム押え部材３２９に接着される。スライドバルブ装置３０１が長ボルト３３１、ナット３３２、便器取付板３０５及びタンク取付用ボルト３０６によって汚物貯留タンク１０３の上面に取り付けられるとき、パッキン３３８は、汚物貯留タンク１０３の上面に位置するパッキン３３７及びパッキン押え壁３４０に密着する。これにより、スライドバルブ装置３０１と汚物貯留タンク１０３との間の隙間は、封止される。
【００４０】
便器取付板３０５に開口する開口部３３４には、便鉢１０２におけるタンク用開口１０５の端部が取り付けられる。より詳細には、便鉢１０２は、タンク用開口１０５から外側に広がるフランジ部１０５ａを有する。フランジ部１０５ａの外周面は、便器取付板３０５の開口部３３４の内周面に接触する。フランジ部１０５ａの外周面と便器取付板３０５の開口部３３４の内周面との隙間は、単泡パッキン３３９により封止される。
【００４１】
図１１（ａ）は、シャッタ３０３が閉止位置３０３Ａに位置する状態のスライドバルブ装置３０１の内部構造を示す左断面図である。図１１（ｂ）は、シャッタ３０３が連通位置３０３Ｂに位置する状態のスライドバルブ装置３０１の内部構造を示す左断面図である。上記のような便器装置１０１において、洗浄スイッチＳＷが操作されていない状態では、シャッタ３０３は閉止位置３０３Ａに位置付けられている。このとき、シャッタ３０３におけるピストンロッド３１３が延出する側とは反対側の部分３０３ｂは、二つのＯリング３１９の間にある隙間空間ＳＱ（図１１（ｂ）参照）に入り込んで、二つのＯリング３１９に挟まれる。このため、シャッタ３０３は、タンク用開口１０５と便鉢用開口１０６との連通を閉止し、汚物貯留タンク１０３から発生する臭気を確実に塞いでいる（図１１（ａ））。
【００４２】
使用者（図示せず）が洗浄スイッチＳＷを操作すると、コントロールユニット１０７は洗浄水用電磁弁１１６及び洗浄水用ポンプ１１７を制御し、洗浄水吐出部１１３の隙間１１４から洗浄水ＷＷを噴出させる。また、コントロールユニット１０７は、洗浄水用電磁弁１１６を開くと同時に、電動空気弁１０８を制御してエアシリンダ装置３０４を駆動し、シャッタ３０３を連通位置３０３Ｂに位置付ける（図１１（ｂ））。その結果、便鉢１０２のタンク用開口１０５と汚物貯留タンク１０３の便鉢用開口１０６とは連通する。そして、洗浄水ＷＷ及び汚物（図示せず）は、タンク用開口１０５及び便鉢用開口１０６を通過して汚物貯留タンク１０３の内部に落下する。落下した洗浄水ＷＷ及び汚物は、汚物貯留タンク１０３に落ちた後に跳ね返って上昇することがある。この跳ね返った洗浄水ＷＷ及び汚物は、菊形ゴム板３２１が有する翼部３２６によって防がれる。
【００４３】
ここで、シャッタ３０３に付着した汚物は、シャッタ３０３が閉止位置３０３Ａと連通位置３０３Ｂとの間で変位する間に、Ｏリング３１９によって擦り落とされる。しかしながら、Ｏリング３１９は、シャッタ３０３の端面３０３ａに付着した汚物は擦り落とされず、隙間空間ＳＱに入り込む場合がある。また、隙間空間ＳＱに入り込んだ汚物は、この隙間空間ＳＱに溜まることも考えられる。
【００４４】
コントロールユニット１０７は、シャッタ３０３を連通位置３０３Ｂに位置付けてから所定時間（例えば、３秒間）経過後、電動空気弁１０８を制御してエアシリンダ装置３０４を駆動し、シャッタ３０３を閉止位置３０３Ａまで動かす（図１１（ａ））。このとき、シャッタ３０３の端面３０３ａは、隙間空間ＳＱに溜まった汚物を押し出す。押し出された汚物は、排出用開口３２０を通過して矢印ＡＲに沿って落下し、汚物貯留タンク１０３の内部に至る。また、シャッタ３０３が閉止位置３０３Ａに位置付けられている状態であれば、シャッタ３０３の端面３０３ａに付着した汚物は自然に排出用開口３２０を通過して落下する。また、この汚物は、埋込部材３２０ａに当接した際には、その当接時の衝撃によって排出用開口３２０を通過して落下する。
【００４５】
このように、本実施の形態の便器装置１０１によれば、シャッタ３０３は、隙間空間ＳＱに入り込んで便鉢１０２と汚物貯留タンク１０３とを確実に閉止する。そして、シャッタ３０３に付着したり隙間空間ＳＱに入り込んだりした汚物は、排出用開口３２０から落下する。このため、シャッタ３０３は清潔な状態に維持され、かつ、便器装置１０１に汚物が溜まって腐食したりすることがなくなる。
【００４６】
次いで、実施の別の一形態を、図１２及び図１３に基づいて説明する。本実施の形態を、説明の便宜上、第二の実施の形態と呼ぶ。この場合、図１ないし図１１に基づいて説明した第一の実施の形態と同一の部分には同じ符号を付し、説明も省略する。
【００４７】
図１２は、汚物貯留タンク１０３に取り付けられたスライドバルブ装置３０１を示す平面図である。図１３は、汚物貯留タンク１０３の平面図である。本実施の形態の汚物貯留タンク１０３は、前述した第一の実施の形態の汚物貯留タンク１０３よりも奥行寸法が短い。そして、汚物貯留タンク１０３は、前方部分に迫出部１０３ａを有する。迫出部１０３ａは、汚物貯留タンク１０３の前側面１０３ｂから、カバー１１１の内側面に近づくように先方に突出する。迫出部１０３ａは、汚物貯留タンク１０３の前側面１０３ｂの一部に穴を開け、そこにステンレス鋼の板を溶接して取り付けて形成される。
【００４８】
本実施の形態では、便鉢用開口１０６は、汚物貯留タンク１０３の上面で迫出部１０３ａに跨って設けられている。さらに、便鉢用開口１０６は、その長辺１０６ｒｄが軸ＡＸに対し、第一の実施の形態の便鉢用開口１０６の長辺１０６ｒｄよりも平面視で反時計回りに一層傾いた方向に向いている。そして、スライドバルブ装置３０１は汚物貯留タンク１０３の上面に取り付けられると、エアシリンダ装置３０４は汚物貯留タンク１０３の左側面１０３ｃからはみ出す。カバー１１１は、このエアシリンダ装置３０４を収容するよう、左側部分が突出している。
【００４９】
本実施の形態の便器装置１０１によっても、第一の実施の形態の便器装置１０１と同様に、シャッタ３０３は、隙間空間ＳＱに入り込んで便鉢１０２と汚物貯留タンク１０３とを確実に閉止する。そして、シャッタ３０３に付着したり隙間空間ＳＱに入り込んだりした汚物は、排出用開口３２０から落下する。このため、シャッタ３０３は清潔な状態に維持され、かつ、便器装置１０１に汚物が溜まって腐食したりすることがなくなる。そして、本実施の形態の便器装置１０１では、汚物貯留タンク１０３の前方側には迫出部１０３ａが突出し、そこに便鉢用開口１０６が設けられているため、便器装置１０１の奥行方向の寸法を小さくすることができる。
【符号の説明】
【００５０】
１０１      便器装置
１０２      便鉢
１０３      汚物貯留タンク
１０４      汚物受部
１０５      タンク用開口（第１の孔部）
１０６      便鉢用開口（第２の孔部）
３０１      スライドバルブ装置
３０２      ハウジング
３０３      シャッタ
３０３Ａ    閉止位置
３０３Ｂ    連通位置
３０４      エアシリンダ装置（駆動部）
３１３      ピストンロッド
３２０      排出用開口
３２１      菊形ゴム板（シート部材）
３２６      翼部
ＳＱ        隙間空間
【図１】
0005582489.tif 000002
【図２】
0005582489.tif 000003
【図３】
0005582489.tif 000004
【図４】
0005582489.tif 000005
【図５】
0005582489.tif 000006
【図６】
0005582489.tif 000007
【図７】
0005582489.tif 000008
【図８】
0005582489.tif 000009
【図９】
0005582489.tif 000010
【図１０】
0005582489.tif 000011
【図１１】
0005582489.tif 000012
【図１２】
0005582489.tif 000013
【図１３】
0005582489.tif 000014
【図１４】
0005582489.tif 000015